(57)【要約】【課題】情報を撮影する撮影装置、及び前記情報を記録媒体に記録する記録装置の使い勝手を向上することを目的とする。【解決手段】上記目的を達成するために、本願発明は、撮影装置から送信された情報を受信し、前記受信した情報に含まれる前記撮影装置の識別情報（Ｓ２０１）と前記記録装置が記憶している識別情報とが一致するか否かを判断し（Ｓ２０２）、前記撮影装置の識別情報と前記記録装置が記憶している識別情報とが一致すると判断した場合に、前記受信した情報を前記記録媒体に記録する技術とする（Ｓ２０３）。【選択図】  図２
2004200736.tif 000002
【特許請求の範囲】
【請求項１】
情報を撮影する撮影手段と、
前記撮影手段により撮影された情報に撮影装置の識別情報を付加する識別情報付加手段と、
前記識別情報が付加された情報を記録装置に送信する送信手段とを有する撮影装置。
【請求項２】
請求項１に記載の撮影装置であって、
入力された撮影装置の識別情報を記憶する記憶手段を有し、
前記識別情報付加手段は、前記記憶手段に記憶した識別情報を前記撮影手段により撮影された情報に付加する撮影装置。
【請求項３】
情報を記録媒体に記録する記録装置において、
撮影装置から送信された情報を受信する受信手段と、
前記受信手段から入力された情報に含まれる前記撮影装置の識別情報と前記記録装置が記憶している識別情報とが一致するか否かを判断する判断手段と、
前記判断手段が前記撮影装置の識別情報と前記記録装置が記憶している識別情報とが一致すると判断した場合に、前記受信手段から入力された情報を前記記録媒体に記録する記録手段とを有する記録装置。
【請求項４】
請求項３に記載の記録装置であって、
前記記録装置が記憶している識別情報を表示する表示手段を有する記録装置。
【請求項５】
請求項３又は請求項４に記載の記録装置であって、
入力された前記撮影装置の識別情報を記憶する記憶手段を有し、
前記判断手段は、前記受信手段から入力された情報に含まれる前記撮影装置の識別情報と前記記憶手段に記憶している識別情報とが一致するか否かを判断する記録装置。
【請求項６】
情報が撮影される撮影手段と、前記撮影手段により撮影された情報に識別情報を付加する識別情報付加手段と、前記識別情報が付加された情報を記録装置に送信する送信手段とを有する撮影装置と、
前記撮影装置から送信された情報を受信する受信手段と、前記受信手段から入力された情報に含まれる前記撮影装置の識別情報と前記記録装置が記憶している識別情報とが一致するか否かを判断する判断手段と、前記判断手段が前記撮影装置の識別情報と前記記録装置が記憶している識別情報とが一致すると判断した場合に、前記受信手段から入力された情報を前記記録媒体に記録する記録手段とを有する記録装置と、を有する記録システム。
【請求項７】
請求項６に記載の記録システムであって、
前記記録装置は、前記記録装置が記憶している識別情報を表示する表示手段を有する記録システム。
【請求項８】
請求項６又は請求項７に記載の記録システムであって、
前記記録装置は、前記撮影装置の識別情報を記憶する記憶手段を有し、
前記判断手段は、前記受信手段から入力された情報に含まれる前記撮影装置の識別情報と前記記憶手段に記憶している識別情報とが一致するか否かを判断する記録システム。
【請求項９】
情報を撮影し、
前記撮影した情報に識別情報を付加し、
前記識別情報が付加された情報を記録装置に送信する撮影方法。
【請求項１０】
請求項９に記載の撮影方法であって、
識別情報を記憶し、
前記記憶された識別情報を前記撮影された情報に付加する撮影方法。
【請求項１１】
撮影装置から送信された情報を受信し、
前記受信した情報に含まれる前記撮影装置の識別情報と前記記録装置が記憶している識別情報とが一致するか否かを判断し、
前記撮影装置の識別情報と前記記録装置が記憶している識別情報とが一致すると判断した場合に、前記受信した情報を前記記録媒体に記録する記録方法。
【請求項１２】
請求項１１に記載の記録方法であって、
前記記録装置が記憶している識別情報を表示する記録方法。
【請求項１３】
請求項１１又は請求項１２に記載の記録方法であって、
前記撮影装置の識別情報を記憶し、
前記受信した情報に含まれる前記撮影装置の識別情報と前記記憶した識別情報とが一致するか否かを判断し、
前記撮影装置の識別情報と前記記憶した識別情報とが一致すると判断した場合に、前記受信した情報を前記記録媒体に記録する記録方法。
【請求項１４】
撮影装置は、
情報を撮影し、
前記撮影した情報に前記撮影装置の識別情報を付加し、
前記識別情報を付加した情報を、情報を記録媒体に記録する記録装置に送信し、
記録装置は、
前記撮影装置より送信された情報を受信し、
前記受信した情報に含まれる前記撮影装置の識別情報と前記記録装置が記憶している識別情報とが一致するか否かを判断し、
前記撮影装置の識別情報と前記記録装置が記憶している識別情報とが一致すると判断した場合に、前記受信した情報を前記記録媒体に記録する記録方法。
【請求項１５】
請求項１４に記載の記録方法であって、
前記記録装置は、前記記録装置が記憶している識別情報を表示する記録方法。
【請求項１６】
請求項１４又は請求項１５に記載の記録方法であって、
前記記録装置は、
入力された前記撮影装置の識別情報を記憶し、
前記受信した情報に含まれる前記撮影装置の識別情報と前記記憶した識別情報とが一致するか否かを判断し、
前記撮影装置の識別情報と前記記憶した識別情報とが一致すると判断した場合に、前記受信した情報を前記記録媒体に記録する記録方法。
【発明の詳細な説明】
【０００１】
【発明の属する技術分野】
本発明は、情報を撮影する技術、及び情報を記録媒体に記録する技術に関する。
【０００２】
【従来の技術】
近年、無線通信を用いて、カメラに記録されている情報を他のカメラに転送する場合に、カメラが有するリモートコントロールボタンを他のカメラに装着する事により、識別情報を登録する技術がある。このように、無線通信の際に、識別情報を登録することにより、カメラは画像音声情報の誤送受信を低減することができる。
（例えば、特許文献１参照）
【０００３】
【特許文献１】
特開２００２−１４０３７０号公報
【０００４】
【発明が解決しようとする課題】
上記従来技術においては、情報を撮影する撮影装置と前記情報を記録媒体に記録する記録装置とからなる記録技術については考慮されていなかった。従って、例えば、図６に示すように、記録装置６０１と撮影装置６０２（情報送信範囲は範囲６０３である）とからなる記録システムＡと、記録装置６０３と撮影装置６０４（情報送信範囲は範囲６０６である）とからなる記録システムＢとが近くで使用されている場合、撮影装置６０５で撮影された情報が記録装置６０１に誤送信されるという課題がある。
即ち、記録装置６０１は、本来、撮影装置６０２から送信された情報を受信し記録媒体に記録するところ、撮影装置６０５から送信された情報を誤受信し記録媒体に記録してしまうという課題がある。
【０００５】
本発明は、上記課題を解決することを目的とする。また、情報を撮影する撮影装置、及び前記情報を記録媒体に記録する記録装置の使い勝手を向上することを目的とする。
【０００６】
【課題を解決するための手段】
上記目的を達成するため、本発明は、情報を撮影し、前記撮影した情報に識別情報を付加し、前記識別情報が付加された情報を記録装置に送信する撮影技術とする。
【０００７】
また、撮影装置から送信された情報を受信し、前記受信した情報に含まれる前記撮影装置の識別情報と前記記録装置が記憶している識別情報とが一致するか否かを判断し、前記撮影装置の識別情報と前記記録装置が記憶している識別情報とが一致すると判断した場合に、前記受信した情報を前記記録媒体に記録する技術とする。
【０００８】
また、撮影装置は、情報を撮影し、前記撮影した情報に前記撮影装置の識別情報を付加し、前記識別情報を付加した情報を、情報を記録媒体に記録する記録装置に送信し、記録装置は、前記撮影装置より送信された情報を受信し、前記受信した情報に含まれる前記撮影装置の識別情報と前記記録装置が記憶している識別情報とが一致するか否かを判断し、前記撮影装置の識別情報と前記記録装置が記憶している識別情報とが一致すると判断した場合に、前記受信した情報を前記記録媒体に記録する技術とする。
【０００９】
【発明の実施の形態】
以下、第一の実施形態について説明する。本実施形態においては、カメラを撮影装置と記録装置とに分離した技術において、撮影装置が、入力された画像音声情報を無線通信により記録装置に送信し、前記撮影装置により送信された画像音声情報を受信した記録装置が画像音声情報を光ディスクに記録する技術について説明をする。また、本実施形態においては、記録媒体は光ディスクであるものとして説明をする。但し、本発明は、これに限らず、情報を記録媒体に記録する技術に適用する事ができる。
【００１０】
図１に示すように、本実施形態におけるカメラは、画像音声情報を撮影する撮影装置１０１と画像音声情報を光ディスク１１３に記録する記録装置１１２とに分離されている。
【００１１】
まず、撮影装置１０１が画像音声情報を撮影し記録装置１１２に送信する技術について図１を用いて説明する。
【００１２】
撮影装置１０１において、ＣＣＤ１０２（Ｃｈａｒｇｅ  Ｃｏｕｐｌｅｄ  Ｄｉｏｄｅ）はレンズを通して得られた画像情報の光信号を電気信号に変換し、画像デジタル化回路１０３は前記ＣＣＤ１０２によって変換されたアナログ電気信号をデジタルの画像情報に変換し、画像圧縮回路１０４は前記デジタル化された画像情報をＭＰＥＧ（Ｍｏｖｉｎｇ  Ｐｉｃｔｕｒｅ  Ｅｘｐｅｒｔｓ  Ｇｒｏｕｐ）やＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）等による圧縮を行う。また、音声デジタル化回路１０５はマイク１０６からの音声信号を増幅し、デジタルの音声信号への変換を行い、音声圧縮回路１０７は前記デジタル化された音声信号を例えばＭＰＥＧ等による圧縮を行う。圧縮された画像情報及び音声情報は、多重分離化回路１０８により多重化される。
【００１３】
本実施形態において、通信Ｉ／Ｆ１０９は、前記多重分離化回路１０８により多重化された画像音声情報に撮影装置１０１の識別情報（例えば、撮影装置１０１に固有のシリアル番号等）を付加し、前記画像音声情報を無線通信用の情報に変換し、記録装置１１２へ送信する。
【００１４】
制御回路１１０は、指示入力回路１１１より入力される指示に応じて、画像デジタル化回路１０３、画像圧縮回路１０４、音声デジタル化回路１０５、音声圧縮回路１０７、多重分離化回路１０８、及び通信Ｉ／Ｆ１０９などを制御する。また、制御回路１１０は、識別情報を記憶しており、前述のように、通信Ｉ／Ｆ１０９により画像音声情報に前記識別情報を付加させる。
【００１５】
次に、記録装置１１２が、撮影装置１０１から送信される画像音声情報を受信し、光ディスク１１３に画像音声情報を記録する処理について、図１及び図２を用いて説明する。
【００１６】
まず、ステップＳ２０１において、通信Ｉ／Ｆ１１４は、撮影装置１０１から送信される画像音声情報を受信し、受信した画像音声情報をバッファ１２５に記憶する。次に、制御回路１１５は、バッファ１２５に記憶されている画像音声情報から前記画像音声情報に付加された撮影装置１０１の識別情報を分離させる。
【００１７】
次に、ステップＳ２０２において、制御回路１１５は、前記分離した撮影装置１０１の識別情報と制御回路１１５に記憶している撮影装置の識別情報とを比較し、識別情報が一致した場合には、処理はステップＳ２０３において、前記画像音声情報を光ディスク１１３に記録するよう光ディスク記録再生回路１１７を制御する。前記光ディスク記録再生回路１１７は、前記制御回路１１５からの指示に従い、前記画像音声情報を光ディスク１１３に記録する。
【００１８】
また、ステップＳ２０２において、制御回路１１５は、前記分離した撮影装置１０１の識別情報と制御回路１１５に記憶している撮影装置の識別情報とが一致しない場合には、前記画像音声情報を前記記録媒体に記録することなく処理を終了する。
【００１９】
以上により、記録装置１１２は、記憶している識別情報の撮影装置１０１以外から送信された画像音声情報を誤って光ディスク１１３に記録することを低減することができる。
【００２０】
なお、制御回路１１５は、受信した画像音声情報をＬＣＤ１２３（Ｌｉｑｕｉｄ  Ｃｒｙｓｔａｌ  Ｄｉｓｐｌａｙ）やスピーカ１２４で再生する場合、前記画像音声情報を多重分離化回路１１８に出力する。前記多重分離化回路１１８は、前記画像音声情報を分離し、分離した画像情報を画像伸張回路１１９に出力し、分離した音声情報を音声伸張回路１２０に出力する。画像伸張回路１１９は、多重分離化回路１１８から出力された画像情報を伸張し、画像アナログ化回路１２１に出力する。また、音声伸張回路１２０は、多重分離化回路１１８から出力された音声情報を伸張し、音声アナログ化回路１２２に出力する。画像アナログ化回路１２１は、デジタル化された画像情報をアナログ信号に変換し、ＮＴＳＣ等へのフォーマット変換を行い、ＬＣＤ１２３や外部画像表示装置に出力する。一方、音声アナログ化回路１２２は、デジタル化された音声情報をアナログ信号に変換し、スピーカ１２４や外部音声出力装置に出力する。
【００２１】
次に、第二の実施形態について説明をする。第二の実施形態においては、記録装置が記憶している撮影装置の識別情報をＬＣＤ等に表示する技術について説明をする。なお、本実施形態においては、ＬＣＤに識別情報を表示する技術について説明をするが、本発明は、ＬＣＤに限らず情報を表示する表示手段に識別情報を表示する技術に適応できる。
【００２２】
図３は、記録装置１１２に記憶している識別情報を表示する場合の一実施例であり、ＬＣＤ１２３に図２に示した情報が表示される。制御回路１１５は、指示入力回路１１６から撮影装置の識別情報を表示する旨の指示があると、制御回路１１５に記憶している撮影装置の識別情報を読み出し、前記識別情報をグラフィック情報に変換し、前記画像アナログ化回路１２１に出力し、前記ＬＣＤ１２３や前記外部画像表示装置に出力する。図３において、前記識別情報として、例えば、記録装置１１２が受信可能な機器（図１では撮影装置１０１）のメーカ名、前記機器の型名、型式、シリアル番号を表示している。
【００２３】
このようにして、ユーザは記録装置１１２が記憶している識別情報を視覚的に把握することができる。
【００２４】
次に、第三の実施形態について、説明をする。
【００２５】
本実施形態においては、撮影装置が予め識別情報を記憶している場合に、記録装置に前記撮影装置の識別情報を記憶させる技術について説明をする。
【００２６】
図４に本実施形態における撮影装置１０１及び記録装置１１２の図を示した。図４において、図１と同様のものには同一の符号を付している。図４においては、メモリカード制御回路４０１、４０３、メモリカード４０２、４０４が追加されている。
【００２７】
以下、メモリカード４０２を用いて識別情報を記録装置１１２に記憶させる処理について説明をする。なお、メモリカードは記録媒体の一例であり、識別情報を記録することができる記録媒体であれば同様の効果を得ることができる。
【００２８】
まず、制御回路１１０は、メモリカード制御回路４０１を制御し、制御回路１１０が記憶している識別情報をメモリカードに記録させる。次に、ユーザは、前記識別情報が記録されたメモリカードを撮影装置１０１から抜き出し、記録装置１１２に差し込む。次に、記録装置１１２において、識別情報が記録されたメモリカード４０１が挿入されると、制御回路１１５は、メモリ制御回路４０３によりメモリカード４０１に記録された識別情報を読み出す。最後に、制御回路１１５は前記識別情報を記憶する。ここで、必要に応じて、前記記憶した識別情報をＬＣＤ１２３や外部画像表示装置に表示する構成としても良い。この場合の表示は、例えば図３に示したように行う。
【００２９】
なお、前記記録装置１１２に、既に記憶している識別情報が存在する場合、前記記録装置１１２はユーザに対して、前記識別情報を更新するか否かの確認を行う。ユーザから前記識別情報を更新する指示があった場合は、前述した識別情報の記憶処理を行い、逆に前記識別情報を更新しない旨の指示があった場合は、前記識別情報の記憶処理を終了する。
【００３０】
以上、第三の実施形態においては、記録装置に識別情報が記憶されている場合に、前記記録装置の識別情報を撮影装置に記憶することができる。
【００３１】
なお、第三の実施形態においては、メモリカードを用いて識別情報を記憶する技術について説明をしたが、記録装置１１２に光ディスク記録再生回路１１７を設ける事により、光ディスク１１３を用いて識別情報を記憶することもできる。このようにすることにより、メモリカードやメモリカード記録再生回路が不要となり、装置の小型化や低コスト化を図ることができる。また、ケーブル等により撮影装置１０１と記録装置１１２とを有線接続することにより同様の効果を得ることができる。
【００３２】
次に、第四の実施形態について、説明をする。
【００３３】
本実施形態においては、撮影装置及び記録装置の両者が予め識別情報を記憶していない場合に、撮影装置及び記録装置に識別情報を記憶する技術について説明をする。
【００３４】
図４において、撮影装置１１２の識別情報は、指示入力回路１１１から制御回路１１０に入力される。そして、制御部１１０は、前記指示入力回路１１１から入力された前記識別情報を記憶する。同様にして、撮影装置１１２の識別情報は、指示入力回路１１６から制御回路１１５に入力される。そして、制御部１１５は、前記指示入力回路１１６から入力された前記識別情報を記憶する。この際に識別情報は撮影装置１０１に固有なシリアル番号に限らず、ユーザが任意に作成する情報、例えばユーザ名等でも良い。このようにすることにより、シリアル番号などと比して、ユーザにとって把握し易い識別情報を記憶し、又は表示することができるという効果がある。
【００３５】
以上のように、第四の実施形態においては、撮影装置に予め識別情報が記憶されていない場合でも、撮影装置の識別情報を記録装置に記憶することができるという効果がある。
【００３６】
なお、本発明においては、記録装置に複数の識別情報を記憶することも可能である。この場合、異なる撮影装置から画像音声情報を受信することができるという効果がある。図５は、記録装置１１２に複数の撮影装置の識別情報が記憶されている場合における前記識別情報の表示の一例である。図５において、識別情報は、撮影装置１０１のメーカ名、型名、型式、シリアル番号としているが、上記したユーザによる識別情報の記憶処理により記憶された識別情報、例えばユーザのユーザ名等を表示することも可能である。
【００３７】
【発明の効果】
以上、本発明は、情報を撮影する撮影装置、及び前記情報を記録媒体に記録する記録装置の使い勝手を向上することができる。
【図面の簡単な説明】
【図１】第一の実施形態による記録技術を示す図
【図２】記録装置の記録処理を示す図
【図３】記録装置に記憶されている撮影装置の識別情報の表示を示す図
【図４】第三の実施形態による記録技術を示す図
【図５】記録装置に記憶されている複数の撮影装置の識別情報の表示を示す図
【図６】撮影装置及び記録装置が複数ある場合の情報の送受信を示す模式図
【符号の説明】
１０１・・・撮影装置、１０２・・・ＣＣＤ、１０６・・・マイク、１０９・・・通信Ｉ／Ｆ、１１０・・・制御回路、１１２・・・記録装置、１１３・・・光ディスク、１１４・・・通信Ｉ／Ｆ、１１５・・・制御回路、１１７・・・光ディスク記録再生回路
【図１】
2004200736.tif 000003
【図２】
2004200736.tif 000004
【図３】
2004200736.tif 000005
【図４】
2004200736.tif 000006
【図５】
2004200736.tif 000007
【図６】
2004200736.tif 000008